(57)【特許請求の範囲】
【請求項１】
放射性薬剤投与装置を介して被験者に放射性薬剤を投与する際に使用する、移動可能な衝立式の放射線被曝防護装置であって、
椅子に着座した被験者が腕を挿入する開口部が設けられた放射線を遮蔽する正面パネルと、
放射性薬剤投与装置の高さに合わせて設けられた放射性薬剤投与装置を操作可能な開口部を有する放射線を遮蔽する側面パネルと、
前記正面パネルに設けられた開口部の下端部の位置に合わせ、前記正面パネルの表裏に取付けられた被験者の腕を置くためのテーブルと、
前記正面パネル及び側面パネルの下部に設けられたキャスターと、を含み、
前記正面パネル及び側面パネルは共に、少なくとも開口部の下端から上部が透明であり、前記正面パネルと側面パネルがＬ字状に配置、連結されていることを特徴とする放射線被曝防護装置。
【請求項２】
前記正面パネルは、上半面が透明な放射線遮蔽板、下半面が不透明な放射線遮蔽板からなり、上半面を覆う放射線遮蔽板の下部に前記開口部が設けられ、
前記側面パネルは、上方部が透明な放射線遮蔽板、他部が不透明な放射線遮蔽板からなり、上方部放射線遮蔽板の下部に前記開口部が設けられていることを特徴とする請求項１に記載の放射線被曝防護装置。
【請求項３】
前記正面パネルにおいて被験者が対面する方を表側、その反対側を裏側としたとき、
前記正面パネルと前記側面パネルの継ぎ目が前記正面パネルの裏側になるように、前記正面パネルと前記側面パネルが配置、連結されていることを特徴とする請求項１又は２に記載の放射線被曝防護装置。
【請求項４】
さらに放射性薬剤を投与中の被験者の腕に上方から被せ使用する、透明な放射線遮蔽板で形成された腕カバーを含むことを特徴とする請求項１から３のいずれか１に記載の放射線被曝防護装置。
【請求項５】
前記正面パネルにおいて被験者が対面する方を表側、その反対側を裏側としたとき、
さらに前記正面パネルの表側中央部に設置され、被験者の体内から放出される放射線量を測定する放射線量検出器と、
前記正面パネルの裏側に設置され、前記放射線量検出器で測定した放射線量を表示する表示器と、
を含むことを特徴とする請求項１から４のいずれか１に記載の放射線被曝防護装置。
【発明の詳細な説明】
【技術分野】
【０００１】
本発明は、ポジトロン標識薬剤など放射性薬剤を被験者に投与する際に、医療従事者が放射線に被曝することを防止又は低減させる放射線被曝防護装置に関する。
【背景技術】
【０００２】
今日、がんの診断にＰＥＴ（Ｐｏｓｉｔｒｏｎ  Ｅｍｉｓｓｉｏｎ  Ｔｏｍｏｇｒａｐｈｙ）診断と呼ばれるポジトロン断層撮影法が多く利用されている。この診断方法は、がん細胞がぶどう糖を消費しやすい性質を利用したものであり、ぶどう糖に似たポジトロンを放出する放射性薬剤、例えば１８Ｆ−ＦＤＧを被験者に投与し、ポジトロンと電子とが結合するとき放出するガンマ線を検出し、がん細胞の位置、大きさ等を診断する。現在、ＰＥＴ診断で使用する放射性薬剤の投与には、放射性薬剤を自動投与する装置が多く使用され、装置開発も活発に行われている（例えば特許文献１参照、特許文献２参照、非特許文献１参照）。
【０００３】
放射性薬剤自動投与装置は、一般的に、筐体内に放射性薬剤が密閉保存された容器を収納し、分注ノズルを用いて所定量の放射性薬剤を吸い出し、所定の容器等に保持した後、注射針を介して被験者に投与する。筐体内には、鉛などからなる放射線遮蔽体が設けられ、放射性薬剤等は、この放射線遮蔽体内に収納されており、放射性薬剤自動投与装置から外部に放射線が放出することを防止できる構造となっている。しかしながら投与に使用される注射針及び注射針と放射性薬剤自動投与装置とを結ぶチューブは、被験者毎に取替えられるため、通常、放射線を遮蔽する手段が講じられていない。
【０００４】
このような放射性薬剤自動投与装置を使用する場合には、医療従事者が被曝しないように、通常、放射性薬剤自動投与装置と被験者との間に放射線を遮蔽可能な衝立が設置される（例えば非特許文献１参照）。このような衝立は従来から放射線防護装置、Ｘ線防護衝立として使用されている（例えば特許文献３参照）。
【先行技術文献】
【特許文献】
【０００５】
【特許文献１】特開２００８−２１２２０１号公報
【特許文献２】特開２００８−３０２０９２号公報
【特許文献３】登録実用新案第３０３３００１号公報
【非特許文献】
【０００６】
【非特許文献１】http://www.universalgiken.jp/seihin/seihin-bougo.html
【発明の概要】
【発明が解決しようとする課題】
【０００７】
従来から使用されている放射性薬剤自動投与装置と被験者との間に設置される衝立に関しては、被曝及び作業性に関する課題が指摘されている。医療従事者は、放射性薬剤を投与中、被験者の様子あるいは放射性薬剤の漏洩がないことなどを確認する必要があるが、従来の衝立はこの点が十分に考慮されていないため、医療従事者は被験者の様子を確認するために衝立の反対側にいる被験者を覗き込む必要が生じ、結果、被曝してしまう。また、医療従事者は、放射性薬剤を投与中は、放射性薬剤自動投与装置側にいるが、放射性薬剤自動投与装置本体と被験者とを結ぶチューブ及び注射針には放射線を遮蔽する手段が講じられていないため、この部分から放出する放射線に被曝する恐れがある。また放射性薬剤自動投与装置と被験者との間に衝立を設置すると、医療従事者は、被験者に注射針を刺す場合、衝立の反対側にいる被験者のところに移動して行い、注射針を刺した後は、また放射性薬剤自動投与装置側に戻って来る必要がある。このように従来の衝立は、医療従事者の移動あるいは作業をする上では障害となっている。これらのことから、医療従事者がより被曝しにくく、作業性に優れる放射線被曝防護装置が求められている。この放射線被曝防護装置を安価に製作できることが好ましいことは改めて言うまでもない。
【０００８】
本発明の目的は、放射性薬剤を投与する際に使用する、医療従事者の放射線被曝をより低減可能で作業性に優れ使い易い放射線被曝防護装置を提供することである。
【課題を解決するための手段】
【０００９】
請求項１に記載の本発明は、放射性薬剤投与装置を介して被験者に放射性薬剤を投与する際に使用する、移動可能な衝立式の放射線被曝防護装置であって、椅子に着座した被験者が腕を挿入する開口部が設けられた放射線を遮蔽する正面パネルと、放射性薬剤投与装置の高さに合わせて設けられた放射性薬剤投与装置を操作可能な開口部を有する放射線を遮蔽する側面パネルと、前記正面パネルに設けられた開口部の下端部の位置に合わせ、前記正面パネルの表裏に取付けられた被験者の腕を置くためのテーブルと、前記正面パネル及び側面パネルの下部に設けられたキャスターと、を含み、前記正面パネル及び側面パネルは共に、少なくとも開口部の下端から上部が透明であり、前記正面パネルと側面パネルがＬ字状に配置、連結されていることを特徴とする放射線被曝防護装置である。
【００１０】
請求項２に記載の本発明は、請求項１に記載の放射線被曝防護装置において、前記正面パネルは、上半面が透明な放射線遮蔽板、下半面が不透明な放射線遮蔽板からなり、上半面を覆う放射線遮蔽板の下部に前記開口部が設けられ、前記側面パネルは、上方部が透明な放射線遮蔽板、他部が不透明な放射線遮蔽板からなり、上方部放射線遮蔽板の下部に前記開口部が設けられていることを特徴とする。
【００１１】
請求項３に記載の本発明は、請求項１又は２に記載の放射線被曝防護装置において、前記正面パネルの被験者が対面する方を表側、その反対側を裏側としたとき、前記正面パネルと前記側面パネルの継ぎ目が前記正面パネルの裏側になるように、前記正面パネルと前記側面パネルが配置、連結されていることを特徴とする。
【００１２】
請求項４に記載の本発明は、請求項１から３のいずれか１に記載の放射線被曝防護装置において、さらに放射性薬剤を投与中の被験者の腕に上方から被せ使用する、透明な放射線遮蔽板で形成された腕カバーを含むことを特徴とする。
【００１３】
請求項５に記載の本発明は、請求項１から４のいずれか１に記載の放射線被曝防護装置において、前記正面パネルの被験者が対面する方を表側、その反対側を裏側としたとき、さらに前記正面パネルの表側中央部に設置され、被験者の体内から放出される放射線量を測定する放射線量検出器と、前記正面パネルの裏側に設置され、前記放射線量検出器で測定した放射線量を表示する表示器と、を含むことを特徴とする。
【発明の効果】
【００１４】
本発明の放射線被曝防護装置は、正面パネルと側面パネルがＬ字状に配置された放射線を遮蔽可能な衝立式の放射線被曝防護装置であるので、放射性薬剤投与装置と被験者とを結ぶチューブから放出される放射線を側面パネルで遮蔽することが可能であり、従来の衝立に比べ医療従事者の放射線被曝をより低減することができる。また正面パネルには被験者が腕を挿入する開口部及び腕を置くためのテーブルが設けられ、さらに開口部から上部が透明なので、医療従事者は、被験者側に移動することなく正面パネルの内側から被験者の腕に注射針を刺すことができる。さらに側面パネルには、放射性薬剤投与装置を操作するための開口部も設けられ、さらに開口部から上部が透明なので、医療従事者は、放射性薬剤投与装置側に移動することなく側面パネルの内側から放射性薬剤投与装置を操作することができる。また正面パネルの上方部が透明なので、医療従事者は、正面パネルの内側から被験者の様子又は投与の様子を視認することができる。上記のように本発明の放射線被曝防護装置は、正面パネル及び側面パネルの内側で作業、操作又は監視をすることができるので放射線被曝をより低減可能で作業性に優れ使い易い。
【００１５】
また本発明によれば、前記正面パネルは、上半面が透明な放射線遮蔽板、下半面が不透明な放射線遮蔽板からなり、上半面を覆う放射線遮蔽板の下部に前記開口部が設けられ、前記側面パネルは、上方部が透明な放射線遮蔽板、他部が不透明な放射線遮蔽板からなり、上方部放射線遮蔽板の下部に前記開口部が設けられているので、パネルを容易かつ安価に製作することができ、また透明な領域が広く視認性に優れる。
【００１６】
また本発明によれば、正面パネルと側面パネルの継ぎ目が正面パネルの裏側になるように正面パネルと側面パネルが配置されているので、被験者から放出される放射線が継ぎ目を通じて正面パネルの内側に入り込むことを防止できる。このように正面パネルと側面パネルを配置することで医療従事者の放射線被曝をより確実に低減させることができる。
【００１７】
また本発明によれば、本発明の放射線被曝防護装置は、放射性薬剤を投与中の被験者の腕に上方から被せ使用する腕カバーを備えるので、医療従事者の放射線被曝をより確実に低減させることができる。腕カバーを使用するとき、腕カバーは透明な放射線遮蔽板で形成されているので、医療従事者は放射性薬剤の漏洩、注射針の抜け落ちなどを容易に視認することができる。
【００１８】
また本発明によれば、正面パネルの表側に被験者の体内から放出される放射線量を測定する放射線量検出器が設置され、その表示器が正面パネルの裏側に設置されている。このため医療従事者は、被験者の体内に放射性薬剤が入っていることを正面パネルの内側から容易に確認することができるので使い勝手がよい。
【図面の簡単な説明】
【００１９】
【図１】本発明の実施の一形態としての放射線被曝防護装置１の斜視図である。
【図２】図１の放射線被曝防護装置１の正面パネル３の正面図及び側面図である。
【図３】図１の放射線被曝防護装置１の正面パネル３の放射線遮蔽板１３と放射線遮蔽板１５との接続要領を示す部分断面図である。
【図４】図１の放射線被曝防護装置１の側面パネル５の正面図及び側面図である。
【図５】図１の放射線被曝防護装置１の使用例を示す平面図である。
【図６】図１の放射線被曝防護装置１といっしょに使用可能な腕カバー８０の斜視図である。
【発明を実施するための形態】
【００２０】
図１は、本発明の実施の一形態としての放射線被曝防護装置１の斜視図、図２は、放射線被曝防護装置１の正面パネル３の正面図（ａ）及び側面図（ｂ）、図３は、正面パネル３の放射線遮蔽板１３と放射線遮蔽板１５との接続要領を示す部分断面図、図４は、放射線被曝防護装置１の側面パネル５の正面図（ａ）及び側面図（ｂ）、図５は、放射線被曝防護装置１の使用例を示す平面図である。
【００２１】
放射線被曝防護装置１は、ポジトロン標識薬剤などの放射性薬剤を放射性薬剤投与装置２００を介して被験者１００に投与する際に使用する、放射線を遮蔽可能な２つのパネルがＬ字型に配置された移動可能な衝立式の放射線被曝防護装置である。
【００２２】
放射線被曝防護装置１は、被験者１００が対面する正面パネル３、放射性薬剤投与装置２００を遮蔽する側面パネル５、被験者１００が放射性薬剤を投与される腕を置くテーブル７、９、放射線被曝防護装置１を移動させるためのキャスター１１を含む。以下、正面パネル３のうち被験者１００が対向する面を表面３１、その反対の面を裏面３２、被験者１００がいる側を表側又は外側、医療従事者１１０がいる側を裏側又は内側と記す。同様に側面パネル５のうち放射性薬剤投与装置２００が設置される側の面を表面３３、その反対の面を裏面３４、放射性薬剤投与装置２００が設置される側を表側又は外側、医療従事者がいる側を裏側又は内側と記す。
【００２３】
正面パネル３は、縦長矩形状のパネルであり、被験者１００に放射性薬剤が投与されるとき医療従事者１１０を放射線被曝から守るためのパネルである。正面パネル３は、上下に配置された２つの放射線遮蔽板１３、１５が連結材１７を介して隙間なく連結され形成されている。上半面を覆う放射線遮蔽板１３は、被験者１００に放射性薬剤を投与中、正面パネル３の内側にいる医療従事者１１０が正面パネル３の外側にいる被験者１００の様子、放射性薬剤の投与の状態を視認できるように透明な放射線遮蔽板１３からなり、下部には被験者１００が正面パネル３の内側に腕１０４を差し出すための開口部１９が設けられている。正面パネル３の上端にはクッション材１２が取付けられている。
【００２４】
正面パネル３の高さは、椅子１３０に着座した状態の被験者１００の頭１０２の高さに少し加算した高さ、横幅は、被験者１００の肩幅に少し加算した幅である。放射性薬剤を投与中、被験者１００は椅子１３０に着座した状態であるので、正面パネル３の大きさをこのように設定することで、放射性薬剤を投与中の被験者１００から放出される放射線を遮蔽することができる。なお、正面パネル３の両側面下端部４３、４５にはキャスター１１が取付けられ、正面パネル３の下端は床面５５から５〜２０ｍｍ程度浮き上がっているので、正面パネル３の高さは、この高さを考慮して決められている。この点に関しては、側面パネル５の高さ及び開口部１９、２０の設置高さも同じである。医療従事者１１０を放射線被曝から守る点からは、正面パネル３が大きいことが好ましいことは当然であるが、不必要に大きくしても放射線遮蔽性能は十分に高くならず不経済であり、また移動、設置が不便となる。正面パネル３の厚さは、医療従事者１１０の被曝線量が所定の値以下となるように放射線遮蔽板１３、１５の放射線遮蔽性能に応じて適宜決定する。
【００２５】
放射線遮蔽板１３は、正面パネル３の上半面を形成する部材であり、具体的には椅子１３０に着座した状態の被験者１００の上半身をカバーできる大きさを有し、被験者１００の上半身をカバーできるように配置されている。放射線遮蔽板１３は、所定の放射線遮蔽性能を備えることはもちろん、被験者１００に放射性薬剤を投与中、正面パネル３の内側にいる医療従事者１１０がこの放射線遮蔽板１３を通じて正面パネル３の外側にいる被験者１００の様子、放射性薬剤の投与の状態を視認できることが必要である。このため放射線遮蔽板１３は、放射線遮蔽性能が十分に高くても、透視性が不十分な放射線遮蔽板は好ましくない。放射線遮蔽性能及び透視性に優れる放射線遮蔽板１３としては、公知の含鉛アクリル板、含鉛プラスチック板、放射線遮蔽用鉛ガラスなどを使用することができる。
【００２６】
放射線遮蔽板１３の下部中央には、ドーム状の開口部１９が設けられている。この開口部１９は、放射性薬剤を投与する注射針２０２を刺すための腕１０４を、被験者１００が正面パネル３の内側に差し出すためのものである。開口部１９は、放射線遮蔽能力がないため不必要に大きくすべきではない。一方、無理なく腕１０４を出し入れできる大きさは必要である。開口部１９の大きさを例示すれば、高さ２００ｍｍ、幅２５０ｍｍ程度である。
【００２７】
放射線遮蔽板１５は、正面パネル３の下半面を形成する部材であり、具体的には椅子１３０に着座した状態の被験者１００の下半身をカバーできる大きさを有し、被験者１００の下半身をカバーできるように配置されている。放射線遮蔽板１５は、中心部に鉛板（図示を省略）が配置され、この鉛板を両側からステンレス板２１ａ、２１ｂで覆った構造である。下部に位置する放射線遮蔽板１５は、上部の放射線遮蔽板１３と異なり、透明な部材で構成する必要はなく、放射線遮蔽性に優れる部材であればよく、安価であればより好ましい。放射線遮蔽板１５の幅、厚さは、放射線遮蔽板１３と放射線遮蔽板１５との間に段差ができないように上部の放射線遮蔽板１３と同一に形成されている。これにより上部の放射線遮蔽板１３と下部の放射線遮蔽板１５との連結材１７による連結が容易となり、連結部からの放射線漏洩防止対策も容易となる。また意匠的にも好ましい。放射線遮蔽板１５を構成する鉛板及びステンレス板２１ａ、２１ｂの厚さは、放射線遮蔽能力から決めればよく、必要以上に厚くする必要はない。鉛板及びステンレス板２１ａ、２１ｂの厚さが薄く、これらの厚さの合計が放射線遮蔽板１３の厚さに比較し小さい場合は、鉛板とステンレス板２１ａ、２１ｂとの間に空間を設けるようにしてもよい。
【００２８】
連結材１７は、上下に配置された放射線遮蔽板１３と放射線遮蔽板１５とをしっかり固定、連結するための部材であり、ステンレス製で断面がコ字状である。連結材１７のコ字状の溝の幅は、放射線遮蔽板１３及び放射線遮蔽板１５の厚さとほぼ同じに設けられている。放射線遮蔽板１３及び放射線遮蔽板１５の両側面端部に連結材１７を嵌め込み、連結材１７と放射線遮蔽板１３及び放射線遮蔽板１５とを貫通するように取付けられたボルト２３により、連結材１７と放射線遮蔽板１３及び放射線遮蔽板１５とが一体的に連結されている。連結材１７の断面形状をコ字状とすることで、連結材１７と放射線遮蔽板１３及び放射線遮蔽板１５とをしっかりと固定することが可能であり、さらに正面パネル３の裏側に放射線が漏洩することを防止できる。放射線遮蔽板１３と放射線遮蔽板１５との継ぎ目部分には、図３に示すように断面がＨ状の鉛からなる１〜２ｍｍ程度の薄いシール部材２４が取付けられ、放射線遮蔽板１３と放射線遮蔽板１５との継ぎ目部分からの放射線の漏洩を防いでいる。放射線遮蔽板１３と放射線遮蔽板１５との連結方法は、連結材１７、シール部材２４を使用した方法に限定されるものではなく、放射線を漏洩させることなく放射線遮蔽板１３と放射線遮蔽板１５とをしっかりと固定、連結できる方法であれば他の方法であってもよい。
【００２９】
クッション材１２は、スポンジ状の部材からなり、被験者１００が、椅子１３０に着座するとき、あるいは椅子１３０から立ち上がるとき、ふらつき頭１０２あるいは体を正面パネル３にぶつけ怪我をする可能性があるため、安全確保のために設けられたものである。
【００３０】
テーブル７、９は、椅子１３０に着座した被験者１００が放射性薬剤を投与される腕１０４を置くための台であり、放射線遮蔽板１３の下端３５にテーブル７、９の表面２７が一致するように、取付け具２９を介して正面パネル３に固定されている。正面パネル３の表面３１に固定されたテーブル７及び正面パネル３の裏面３２に固定されたテーブル９は、同じ高さで水平に取り付けられている。テーブル７は、被験者１００が腕１０４を差し出し易いように被験者１００側が円弧状にカーブしている。テーブル７、９の大きさは、被験者１００が差し出した腕１０４を無理なく置ける大きさがあればよい。テーブル７、９の取付け高さは、椅子１３０に着座した被験者１００が放射性薬剤を投与される腕１０４を無理なく置くことができる高さに設定されている。放射線遮蔽板１３に設けられた開口部１９は、放射線遮蔽板１３の下端３５を起点に設けられているので、被験者１００が開口部１９に腕１０４を差し込むと、自然とテーブル７、９の上に置くことができる。このように放射線遮蔽板１３、１５の取付け高さは、テーブル７、９の設置位置から決められている。
【００３１】
側面パネル５は、放射性薬剤投与装置２００、特にチューブ２０４から放出される放射線から医療従事者１１０を守るためのパネルであり、正面パネル３と同様に、上下に配置された２つの放射線遮蔽板１４、１６が連結材１８を介して隙間なく連結され形成されている。上方部を覆う放射線遮蔽板１４は、側面パネル５の内側にいる医療従事者１１０が側面パネル５の外側に設置された放射性薬剤投与装置２００を操作するため透明な放射線遮蔽板からなり、下部には医療従事者１１０が側面パネル５の外側に設置された放射性薬剤投与装置２００を操作するための開口部２０が設けられている。
【００３２】
側面パネル５は、正面パネル３の一側辺３７に直交するように正面パネル３と連結具３８を介して連結されている。このとき側面パネル５は、正面パネル３の裏面３２に当接するように配置されている。よって正面パネル３の表側から側面パネル５は見えない。側面パネル５と正面パネル３の継ぎ目３９には鉛からなる数ｍｍ程度の薄いシール部材が取付けられている。側面パネル５と正面パネル３を上記のように配置することで被験者１００から放出される放射線が正面パネル３と側面パネル５の継ぎ目３９を通じて正面パネル３の内側に入り込むことを防止できる。これにより医療従事者１１０の放射線被曝をより確実に低減することができる。
【００３３】
側面パネル５は、正面パネル３と同様、矩形形状であり、高さは正面パネル３と同じである。横幅は、放射性薬剤投与装置２００の幅の１．２〜２倍程度の横幅とすることが好ましい。医療従事者１１０を放射線被曝から守る点からは大きいことが好ましいが、不必要に大きくしても放射線遮蔽性能は十分に高くならず不経済であり、また移動、設置が不便となる。側面パネル５の厚さは、医療従事者１１０の被曝線量が所定の値以下となるように放射線遮蔽板１４、１６の放射線遮蔽能力に応じて、適宜決定する。
【００３４】
上部に配置される透明な放射線遮蔽板１４は、所定の放射線遮蔽性能を備えることはもちろん、医療従事者１１０が側面パネル５の内側から側面パネル５の外側に設置されている放射性薬剤投与装置２００の操作盤（図示省略）を操作するため、放射線遮蔽板１４は、医療従事者１１０が放射線遮蔽板１４を通じて放射性薬剤投与装置２００の操作盤を容易に視認できることが必要である。このため放射線遮蔽板１４は、放射線遮蔽性能が十分に高くても、透視性が不十分な放射線遮蔽板は好ましくない。放射線遮蔽性能及び透視性に優れる放射線遮蔽板１４としては、公知の含鉛アクリル板、含鉛プラスチック板、放射線遮蔽用鉛ガラスなどを使用することができ、正面パネル３の放射線遮蔽板１３と同じ放射線遮蔽板を使用することができる。
【００３５】
放射線遮蔽板１４の下部中央には、放射線遮蔽板１４の下端を起点に矩形状の開口部２０が設けられている。この開口部２０は、医療従事者１１０が側面パネル５の内側から放射性薬剤投与装置２００の操作盤を操作するためのものであり、放射線遮蔽板１４は、開口部２０の下端部４１、つまり放射線遮蔽板１４の下端が放射性薬剤投与装置２００の高さと同じ高さとなるように取付けられている。開口部２０は、放射性薬剤投与装置２００の操作盤を容易に操作できる大きさであればよく、一方、放射線遮蔽能力がないため不必要に大きくすべきではない。開口部２０の大きさを例示すれば、横幅は、放射性薬剤投与装置２００の横幅とほぼ同じとし、高さは２００〜３００ｍｍとすることができる。
【００３６】
放射線遮蔽板１６は、側面パネル５の中央部から下方部分を形成する部材であり、正面パネル３の放射線遮蔽板１５と同様の機能、構成からなる。放射線遮蔽板１６は、放射線遮蔽板１５と同様に中心部に鉛板が配置され、この鉛板を両側からステンレス板２２ａ、２２ｂで覆った構造であるが、放射線遮蔽板１５に比較し、鉛板の厚さを薄くすることができる。これは放射性薬剤投与装置２００が、内部に放射線遮蔽板を備え、放射性薬剤投与装置２００から外部への放射線の放出を遮蔽していることによる。放射線遮蔽板１６は、上端部の高さが放射性薬剤投与装置２００の高さと同一となるように取付けられている。これにより放射線遮蔽板１４に設けられた開口部２０の下端部４１の高さが放射性薬剤投与装置２００の高さと同一となるので、放射性薬剤投与装置２００の操作盤の操作が容易となる。
【００３７】
放射線遮蔽板１４と放射線遮蔽板１６との固定、連結要領は、正面パネル３と同一である。
【００３８】
キャスター１１は、正面パネル３の両側面下端部４３、４５、側面パネル５の両側面下端部４７、４９に設けられている。正面パネル３の側面下端部４３には、正面パネル３に直交するようにキャスター取付台５１が取付けられ、キャスター１１は、キャスター取付台５１の両端部に取付けられている。同様に側面パネル５の側面下端部４７にも、側面パネル５に直交するようにキャスター取付台５３が取付けられ、キャスター１１は、キャスター取付台５３の両端部に取付けられている。正面パネル３の側面下端部４５及び側面パネル５の側面下端部４９には、それぞれのパネルに１つのキャスター１１が取付けられている。キャスター１１は、３６０度いずれの方向にも回転可能な公知のキャスターである。正面パネル３と側面パネル５とは直交するように配置されているので、正面パネル３及び側面パネル５に設けられたキャスター取付台５１、５３は直交する。このため互いのキャスター１１が移動を邪魔しないように３６０度回転可能でいずれの方向にも移動可能な自在キャスターを使用する。キャスター１１は、正面パネル３、側面パネル５の重量に応じた公知のキャスターを使用可能であり、特にストッパー付きのキャスターが好ましい。放射性薬剤を被験者１００に投与するとき腕１０４が動くと、注射針２０２が抜け、あるいは放射性薬剤が漏洩する恐れがあるので、腕１０４を置くテーブル７、９、つまり放射線被曝防護装置１が動かないことが好ましい。このため放射線被曝防護装置１を設置した後は、動かないようにキャスター１１をロックさせることが好ましい。また、放射線被曝防護装置１が動かないようにするために、高さを調整可能なアジャスターを取付け、放射線被曝防護装置１を設置した後は、キャスター１１が床面５５に接地しないようにしてもよい。
【００３９】
放射線被曝防護装置１は、さらに被験者１００の体内に放射性薬剤が入ったことを確認するため、被験者１００から放出される放射線量を測定するための放射線量測定装置を備える。放射線量測定装置は、被験者１００から放出される放射線量を測定する検出器５７、放射線量を表示する表示器５９を備え、検出器５７はテーブル７の裏面に固定され、表示器５９は、テーブル９上に置かれている。このように検知器５７及び表示器５９を設けることで、医療従事者１１０は被曝することなく被験者１００の体内に放射性薬剤が入ったことを確認することができる。なお、検出器５７及び表示器５９の位置は本実施形態に示す位置に限定されるものではなく、検出器５７は正面パネル３の表側で被験者１００の体に近い位置、表示器５９は、正面パネル３の裏側で医療従事者１１０が見やすい位置であればよい。放射線量測定装置は、被験者１００から放出される放射線量を測定可能で、検出器５７と表示器５９とを分離可能な公知の放射線量測定装置を使用することができる。なお、固定式の放射線量測定装置に代え、持ち運び自在な放射線量測定装置を使用することもできる。
【００４０】
放射線被曝防護装置１の使用例を示す。側面パネル５の外側であって、側面パネル５の開口部２０から操作し易い位置に放射性薬剤投与装置２００を設置する。被験者１００は、正面パネル３の表面３１に対面するように椅子１３０に着座し、正面パネル３の開口部１９にいずれか１方の腕１０４を差し入れる。医療従事者１１０は、正面パネル３の裏側に位置し、開口部１９から差し込まれた被験者１００の腕１０４に放射性薬剤を投与するための注射針２０２を刺す。このとき、放射性薬剤投与装置２００と注射針２０２とを結ぶチューブ２０４は、正面パネル３の表側を通し、開口部１９から注射針２０２を正面パネル３の裏側に入れる。医療従事者１１０は、注射針２０２を刺した後、放射性薬剤投与装置２００を操作し、放射性薬剤を投与する。放射性薬剤を投与中、医療従事者１１０は、正面パネル３の裏側で椅子１３２に着座し、放射性薬剤の投与状態を視認すると共に、表示器５９を確認する。投与終了後、医療従事者１１０は注射針２０２を外し、被験者１００は別室で安静にする。投与終了後、医療従事者１１０は、側面パネル５の表側に回り、使用済みのチューブ２０４及び注射針２０２を新しいチューブ及び注射針に交換する。
【００４１】
以上のように医療従事者１１０は、正面パネル３及び側面パネル５の内側で放射性薬剤投与装置２００を操作し、被験者１００の観察を行うことができるので、放射線被曝が低減される。投与終了後、医療従事者１１０は、側面パネル５の表側に出て行き、使用済みのチューブ２０４及び注射針２０２を新しいチューブ２０４及び注射針２０２に交換するが、このときは、放射線は放出していないので被曝することはない。また上記のように医療従事者１１０は、正面パネル３及び側面パネル５の内側で放射性薬剤投与装置２００の操作、注射針２０２の挿入及び被験者１００の観察を行うことができるので殆ど移動する必要がなく、作業性に優れる。
【００４２】
また放射線被曝防護装置１に、放射性薬剤を投与中の被験者１００の腕を覆う腕カバー８０を含めることが好ましい。図６に腕カバー８０の斜視図を示す。腕カバー８０は、細長い直方体の箱状の本体８２と本体８２の上面（天面）に取付けられた取っ手８４からなる。本体８０は、底面及び正面が開口し、底面及び正面を除く４面は、透明な放射線遮蔽板からなる。この放射線遮蔽板は、腕カバー８０で覆われた被験者１００の腕１０４、チューブ２０４及び注射針２０２を視認可能で、放射性薬剤を投与中の被験者の腕１０４、チューブ２０４及び注射針２０２から放出される放射線を遮蔽できる放射線遮蔽性能を備える。このような放射線遮蔽板は、正面パネル３の上半面の放射線遮蔽板１３と同様、公知の含鉛アクリル板、含鉛プラスチック板、放射線遮蔽用鉛ガラスなどを使用することができる。腕カバー８０の大きさは、被験者１００が正面パネル３の開口部１９に腕を差し入れたとき、正面パネル３の裏側に出ている腕１０４を覆うことができる大きさで、かつ開口部１９を塞ぐことのできる大きさである。このような腕カバー８０を使用し、放射性薬剤を投与中の被験者１００の腕１０４を覆いかつ開口部１９を塞ぐことで、医療従事者１１０は、被曝をより低減させた状態で被験者１００に放射性薬剤が投与されていることを視認することができる。
【００４３】
上記のように本発明の放射線被曝防護装置１は、正面パネル３の一部を透明な放射性遮蔽板１３とし、医療従事者１１０が正面パネル３の内側から被験者１００の様子又は放射性薬剤投与の様子を視認可能とした点が特徴の１つとなっている。正面パネル３の一部を透明な放射性遮蔽板１３とする方法は、上記実施形態に示す方法に限られず、正面パネル３全体を一枚の金属製の放射性遮蔽板とし、一部に窓を設け、ここに透明な放射性遮蔽板１３を取り付けてもよい。医療従事者１１０が正面パネル３の内側から被験者１００の様子又は放射性薬剤投与の様子を視認する場合、透明な放射性遮蔽板が多い方が視認し易いことを考えれば、上記実施形態に示した方法は好ましい方法と言える。また上記実施形態に示す正面パネル３は、製作が容易でかつ安価に製作できる点からも好ましい。このことは側面パネル５にも当てはまる。
【００４４】
また本発明の放射線被曝防護装置１は、正面パネル３に被験者１００が腕１０４を差し出す開口部１９を設け、この開口部１９に合わせてテーブル７、９を設けた点が特徴の１つとなっている。開口部１９の穿設要領は、被験者１００が腕１０４を差し出し易い位置、大きさであれば、上記実施形態に示す要領に限られず、例えば、金属製の放射線遮蔽板１５の上部、又は透明な放射線遮蔽板１３と金属製の放射線遮蔽板１５とに跨るように設けてもよい。但し、加工の容易性、開口部１９に差し込まれた腕１０４の視認性の点から、上記実施形態に示すように透明な放射線遮蔽板１３の下部に開口部１９を設けることが好ましい。このことは側面パネル５の開口部２０の穿設要領にも当てはまる。
【実施例】
【００４５】
上記図１から図５と同様の形状からなる以下の大きさの放射線被曝防護装置１を製作し、放射性薬剤を投与するときに使用した。上半面の放射性遮蔽板１３には、厚さ７０ｍｍ、幅８００ｍｍ、高さ６５０ｍｍの含鉛アクリル板、下半面の放射性遮蔽板１５には、厚さ１０ｍｍの鉛板を中央に配置し両側にステンレス板を配置した、厚さ７０ｍｍ、幅８００ｍｍ、高さ７００ｍｍの放射性遮蔽板を使用し、これらを上下に配置し高さ（キャスター込み）１４００ｍｍ、幅は８００ｍｍ、厚さは７０ｍｍの正面パネル３とした。同様に上部の放射性遮蔽板１４には、厚さ７０ｍｍ、幅８００ｍｍ、高さ５００ｍｍの含鉛アクリル板、下部の放射性遮蔽板１６には、厚さ５ｍｍの鉛板を中央に配置し両側にステンレス板を配置した、厚さ７０ｍｍ、幅８００ｍｍ、高さ８５０ｍｍの放射性遮蔽板を使用し、高さ（キャスター込み）１４００ｍｍ、幅は８００ｍｍ、厚さは７０ｍｍの側面パネル５とした。正面パネル３に設けた開口部１９は、高さ２００ｍｍ、幅２５０ｍｍ、側面パネル５に設けた開口部２０は、高さ２５０ｍｍ、幅は放射性薬剤投与装置２００と同じ５００ｍｍとした。
【００４６】
この放射線被曝防護装置１の側面パネル５の外側で開口部２０の位置に合わせ放射性薬剤投与装置２００を設置し、放射性薬剤投与装置２００を介して、被験者１００に放射性薬剤を投与した。このときの複数の医療機関において、約３０名の医療従事者の被曝線量を半年以上に亘り測定した。各医療従事者は、１日当たり７〜８名の被験者１００に放射性薬剤投与を投与する。医療従事者１名の１月当たりの被曝線量は、フィルムバッチから算出したところ、最大で約０．４ミリシーベルト、大半はフィルムバッチの測定下限である０．１ミリシーベルト又は測定下限値以下であった。
【符号の説明】
【００４７】
１  放射線被曝防護装置
３  正面パネル
５  側面パネル
７、９  テーブル
１１  キャスター
１３  放射線遮蔽板
１４  放射線遮蔽板
１５  放射線遮蔽板
１６  放射線遮蔽板
１９  開口部
２０  開口部
２１ａ、２１ｂ  ステンレス板
２２ａ、２２ｂ  ステンレス板
３１  正面パネルの表面
３２  正面パネルの裏面
３３  側面パネルの表面
３４  側面パネルの裏面
３５  放射線遮蔽板の下端
３９  正面パネルと側面パネルとの継ぎ目
５７  検出器
５９  表示器
８０  腕カバー
１００  被験者
１０４  被験者の腕
１１０  医療従事者
１３０  椅子
２００  放射性薬剤投与装置
２０２  注射針
２０４  チューブ
【図１】
0005626975.tif 000002
【図２】
0005626975.tif 000003
【図３】
0005626975.tif 000004
【図４】
0005626975.tif 000005
【図５】
0005626975.tif 000006
【図６】
0005626975.tif 000007